(57)【要約】      （修正有）【課題】適当な照度に簡単に調整できる電気スタンドを提供する。【解決手段】照度表示機能を有する電気スタンド１は、少なくとも一つの制御回路が設けられたボディー１１と、上記ボディーに設置され、かつ、上記制御回路に電気的に接続される少なくとも一つの発光素子１２、光センサー１５、応答装置を含む。発光素子により被照体が照射されると反射光が生じ、上記光センサーは反射光の照度を検出し、上記制御回路は反射光の照度レベルにより、応答装置に対応する反応を生じさせ、照度の各種レベルを表示させる。使用者はこれらの表示により適当な照度に簡単に調整することができる。【選択図】図１
0003117651.tif 000002
【実用新案登録請求の範囲】
【請求項１】
被照体を照射するのに用いられ、少なくとも一つの制御回路が設けられるボディーと、
上記ボディーに設置され、かつ、上記制御回路に電気的に接続される少なくとも一つの発光素子と、
上記ボディーに設置され、かつ、上記制御回路に電気的に接続される光センサーと、
上記ボディーに設置され、かつ、上記制御回路に電気的に接続される応答装置を含み、
上記発光素子により被照体が照射されると反射光が生じ、上記光センサーは反射光の照度を検出し、上記制御回路は反射光の照度レベルに応じて上記応答装置に対応する反応を生じさせ、照度の各種レベルを表示させることを特徴とする照度表示機能を有する電気スタンド。
【請求項２】
上記応答装置は３つの発光ダイオードを有し、上記ボディーに設置されると共に上記制御回路に電気的に接続され、これらの発光ダイオードが照度の各種レベルの表示に用いられることを特徴とする請求項1に記載する照度表示機能を有する電気スタンド。
【請求項３】
上記応答装置は３色の発光ダイオードであり、上記ボディーに設置されると共に上記制御回路に電気的に接続され、上記制御回路は３色の発光ダイオードを制御し、３色の発光ダイオードのそれぞれが照度の各種レベルの表示に用いられることを特徴とする請求項1に記載する照度表示機能を有する電気スタンド。
【請求項４】
上記応答装置は音声出力装置であり、上記ボディーに設置されると共に上記制御回路に電気的に接続され、上記制御回路は上記音声出力装置を制御し、異なる音声により照度の各種レベルを表示することを特徴とする請求項１に記載する照度表示機能を有する電気スタンド。
【請求項５】
更に支柱と台座を含み、支柱が折り曲げ可能であり、上記ボディーと上記台座の間に接続されることを特徴とする請求項１に記載する照度表示機能を有する電気スタンド。
【請求項６】
被照体を照射するのに用いられ、照度調整の制御回路が設けられ、かつ、上記照度調整の制御回路が予定照度を有するボディーと、
上記ボディーに設置され、かつ、照度調整の制御回路に電気的に接続される少なくとも一つの発光素子と、
上記ボディーに設置され、かつ、上記照度調整の制御回路に電気的に接続される光センサーと、
上記ボディーに設置され、かつ、上記発光素子と上記照度調整の制御回路の間に電気的に接続される制御装置を含み、
上記発光素子により被照体が照射されると反射光が生じ、上記光センサーは反射光の照度を検出し、上記照度調整の制御回路は、反射光の照度と上記予定照度の間の差に応じて制御装置を通じて上記発光素子に上記予定照度に一致する光線を出力させることを特徴とする照度調整機能を有する電気スタンド。
【考案の詳細な説明】
【技術分野】
【０００１】
本考案は照度レベルの表示又は自動的に照度を調整する機能を有するようにした照度表示機能又は照度調整機能を有する電気スタンドに関する。
【背景技術】
【０００２】
電気スタンドを使用して観覧や読書をする場合、電気スタンドの照度が強すぎると眩しくて眼が開けられないという問題を引き起こし、観覧者が観覧する際に影響を及ぼし、ひいては疲労し易くなり、月日が経つうちに永久的な視力障害を引き起こす。もし電気スタンドの照度が弱すぎると、被照体がはっきり見えにくくなり、特に文字が載せられている書籍などでは、観覧者はなおいっそう骨を折って観覧しなければならず、疲労し易くなるばかりでなく、長い間続けると永久的な視力障害を引き起こす。言い換えると、適当な照度でなければ、最良の観覧環境を形成することができず、適当な照度であれば視力障害を引き起こさせないであろう。
【０００３】
児童や学生の場合、読書や宿題をする時間が長くなるので、万が一使用する電気スタンドの照度が強すぎるか弱すぎると、長時間、眼を疲労させ、長い間続けると視力障害を引き起こし、近視になる。すなわち、小中学生の近視率が高い原因の一つである。
【０００４】
しかし、現在市販している電気スタンド（図は後方に示す）は照明することができるだけであり、ただちに被照体の照度が適当であるかどうかの表示をする方法がない。使用者はたとえ調整したいと思っても、適当な照度に調整する方法がなく、依然として不適当な照度の下で観覧や読書をさせられることとなり、視力障害は増加し続ける。たとえ偶然適当な照度に調整したとしても、極めて面倒で、時間がかかり、短時間で達成することはできない。
したがって、電気スタンドに照度が適当かどうかを表示する機能を備えさせ、使用者が適切に照度を調節できるようにすることが必要である。
【考案の開示】
【考案が解決しようとする課題】
【０００５】
本考案の照度表示機能または照度調整機能を有する電気スタンドは、被照体が反射する反射光を検出することによって上記反射光の照度を得る一方、さらに輝度や音声によりこのときの照度の各種レベルを表示するというように応答装置に照度に対応する反応を生じさせ、それにより使用者の照度調整の根拠を与え、従来適当な照度に容易に調整できなかった欠点をなくし、更には照度調整に時間と手間がかからず、容易に調整できる効果を与えることを目的とする。
【０００６】
さらに、本考案の照度表示機能または照度調整機能を有する電気スタンドは、上記電気スタンドを自動的に適当な照度に調整させることができ、かつ、いつでも調整できるようにすることを目的とする。言い換えれば、たとえ使用者の手の上の書籍と電気スタンドの距離が使用者の姿勢により近づいたり遠ざかったりしても、いつでも適当な照度に調整できるという自動調整機能を達成することを目的とする。
【課題を解決するための手段】
【０００７】
本考案の照度表示機能を有する電気スタンドは、被照体を照射するのに用いられ少なくとも一つの制御回路が設けられるボディーと、上記ボディーに設置され、かつ、上記制御回路に電気的に接続される少なくとも一つの発光素子と、上記ボディーに設置され、かつ、上記制御回路に電気的に接続される光センサーと、上記ボディーに設置され、かつ、上記制御回路に電気的に接続される応答装置を含み、上記発光素子により被照体が照射されると反射光が生じ、上記光センサーは反射光の照度を検出し、上記制御回路は反射光の照度レベルにより応答装置に対応する反応を生じさせ、照度の各種レベルを表示させる。
【０００８】
本考案の照度調整機能を有する電気スタンドは、被撮体を照射するのに用いられ、照度調整の制御回路が設けられ、且つ、上記照度調整の制御回路が予定照度を有するボディーと、上記ボディーに設置され、かつ、照度調整の制御回路に電気的に接続される少なくとも一つの発光素子と、上記ボディーに設置され、かつ、上記照度調整の制御回路に電気的に接続される光センサーと、上記ボディーに設置され、かつ、上記発光素子と上記照度調整の制御回路の間に電気的に接続される制御装置を含み、上記発光素子により被撮体が照射されると反射光が生じ、且つ、上記光センサーは反射光の照度を検出し、上記照度調整の制御回路は、反射光の照度と上記予定照度の間の差に応じて制御装置を通じて上記発光素子に上記予定照度に一致する光線を出力させる。
【考案を実施するための最良の形態】
【０００９】
本考案の特徴及び技術内容をさらに理解するために、以下に本考案の詳しい説明と添付図面を参照して説明する。
【００１０】
第１、２図に示すように、本考案の電気スタンドの特徴は、主に被照体の照度を検出することにあり、検出した照度を利用して、照度表示ができる照度表示機能、または照度調整ができる照度調整機能を有する。
【００１１】
図１に示すように、本考案の第１の実施形態にかかる電気スタンドは、ボディー１１と、少なくとも一つの発光素子１２と、ケース１３と、スイッチ１４と、光センサー１５及び応答装置１６を含む照度表示機能を有する電気スタンドである。上記ボディー１１には少なくとも一つの制御回路が設けられており、上記発光素子１２とスイッチ１４と光センサー１５と応答装置１６は上記ボディー１１に設置され、かつ、制御回路１１１に電気的に接続され、上記ケース１３はボディー１１と発光素子１２以外を覆い、またスイッチ１４と応答装置１６をケース１３の外に露出させる。
【００１２】
なお、上記電気スタンド１は実施上、さらに支柱を設けることができる。支柱は、例えば図1に示す支柱１７か、図示しない支柱チェーンである。上記支柱１７の一端はケース１３を通って、ボディー１１に設置される。他端は台座１７１に設置され、さらに上記支柱１７は折り曲げ可能式である。支柱チェーンは上記電気スタンド１のケース１３に設置され、支柱チェーンの自由端は天井に設置され、電気スタンド１を吊り下げられた状態にさせる。
【００１３】
また、上記応答装置１６は様々な反応メカニズムを生じさせることができる。本考案はこれに対し制限をするものではなく、例えば図１に示す応答装置１６は３色の発光ダイオード（例えばRGB LED）を有し、上記３色の発光ダイオードはボディー１１に設置されると共に制御回路１１１に電気的に接続され、上記制御回路１１１は上記３色の発光ダイオードを制御することができ、３色（例えば赤色、緑色、青色）によって照度の各種レベルを表示させる。
【００１４】
上記応答装置１６の別の実施例としては同時に３個の発光ダイオードを有するものであり、上記３つの発光ダイオードはボディー１１に設置されると共に制御回路１１１に電気的に接続され、上記制御回路１１１は上記３つの発光ダイオードを制御し照度の各種レベルを表示させることができる。
【００１５】
上記応答装置１６の別の実施例は音声出力装置であり、上記音声出力装置は上記ボディー１１に設置されると共に上記制御回路１１１に電気的に接続され、上記制御回路は上記音声出力装置を制御し、異なる音声により照度の各種レベルを表示する。
【００１６】
上記電気スタンド１を使用する時、まず、スイッチ１４により上記発光素子１２を発動させる。上記発光素子１２が被照体２を照射する際、反射光Ｒが生じ、上記光センサー１５は上記反射光Ｒを検出することで上記反射光Ｒの照度を得る。これにより、上記制御回路１１１は反射光Ｒの照度レベルに応じて上記応答装置１６に対応する反応を生じさせ、照度の各種レベルを表示させる。例えば、三色の発光ダイオードの例では、照度が大きすぎる場合赤色を示し、適当な場合は緑色を示し、小さすぎる場合青色を示す。３つの発光ダイオードの例では、第１から第３の発光ダイオードのそれぞれが照度の各種レベルの表示に用いられる。音声出力装置の例では、異なる音声により照度の各種レベルを表示する。
【００１７】
上記応答装置１６が照度の各種レベルを表示するので、使用者は各種レベルに応じて上記折り曲げ可能な支柱１７を折り曲げて程度を調節することにより、若しくは上記図示しない支柱チェーンのチェーンの長さを調節することにより、電気スタンド１と被照体２の間の距離を長くしたり縮めたりすることができる。距離を長くすると照度を適当なレベルに減少させ、距離を縮めると照度を適当なレベルに増加させることができる。
【００１８】
図３は、本考案に係る電気スタンドの照度表示の流れ図であり、被照体上の照度を表示するために用いられる。上記流れ図は複数のステップを含む。まず、電気スタンドに設けられた発光素子により光線を上記被照体に射出し（S301）、次に、上記被照体により上記光線が反射されて反射光が形成され（S303）、続いて電気スタンドに設けられた光センサーにより上記反射光を検出し、被照体の照度を得る（S305）。次に、例えば電気スタンドに設けられた制御回路を利用して、上記被照体の照度と予定照度の範囲を比較し（S307）、最後に、上記予定照度の範囲よりも上記被照体の照度が小さいか等しいか大きいかにより、３色の発光ダイオードから放出される第一、第二、第三の色光を制御する（S309）。もちろん３つの発光ダイオードを、それぞれが照度の各種レベルを表示するように制御することもでき、さらに音声出力装置が異なる音声により照度の各種レベルを表示するように制御することもできる。
【００１９】
本実施形態の照度表示機能を有する電気スタンドの場合、適切な照度に調整する方法がないという欠点がなくなり、且つ、時間が節約でき面倒もなく容易に照度の調整ができる。
【００２０】
図２は、本考案の第２の実施形態にかかる電気スタンドを示す。本実施形態は第１図の第１の実施形態と大体同じであり、異なる点は第１の実施形態の制御回路１１１に調整機能を備えさせ、且つ、予定照度の照度調整回路１８を設けたことであり、さらに実施形態1の応答装置１６を取り除き、上記発光素子１２と照度調整回路１８の間に電気的に接続された制御装置１９を、ボディー１１に増設したことである。すなわち、本実施形態は照度調整機能を有する電気スタンドである。
【００２１】
上記電気スタンド１を使用する時、まずスイッチ１４により上記発光素子１２を発動させる。上記発光素子１２により被照体２を照射する際、反射光Ｒが生じ、上記光センサー１５は上記反射光Ｒを検出することで上記反射光Ｒの照度を得る。これにより、上記照度調整回路１８は上記反射光Ｒの照度と上記予定照度の間の差により、上記制御装置１９を通じて上記発光素子１２に上記予定照度と一致する光線を出力させる。
【００２２】
すなわち、上記反射光Ｒの照度が予定照度の範囲よりも小さい（或いは大きい）時、上記照度調整回路１８は上記制御装置１９を通じて、自動的に上記発光素子１２を強めて（或いは弱めて）出力させ、上記反射光Ｒの照度を予定照度に一致させる。
【００２３】
図４に示すように、本考案である電気スタンドの照度調整の流れ図は、被照体上の照度を調節するものであり、上記照度の調整は多くのステップを含む。まず、電気スタンドに設けられた発光素子により光線を上記被照体に射出し（S401）、次に、上記被照体により上記光線を反射し、反射光が形成され（S403）、続いて、電気スタンドに設けられた光センサーにより上記反射光を検出し被照体の照度を得る（S405）。さらに、例えば電気スタンドに設けられた照度調整回路を利用して、上記被照体の照度と予定照度の範囲を比較し（S407）、最後に、上記被照体の照度が上記予定照度の範囲よりも小さいか等しいか大きいかにより、第一制御、不制御（すなわち、制御しない）、或いは第二制御を行う。上記第一制御か第二制御の場合には、上記発光素子が射出した光線の強度を拡大、或いは減少させる（S409）。
【００２４】
本実施形態の自動的に適当な照度に調整する機能を有する電気スタンドの場合、自動的に調整させる機能を有しているので、使用者の手の上の書籍と電気スタンドの距離がたとえ使用者の姿勢により一定でなかったとしても、常に適当な状態に調整することができ、便利性が極めて高くなる。
【産業上の利用可能性】
【００２５】
以上述べたことをまとめれば、本考案は照度表示機能又は照度調整機能を有する電気スタンドを提供するものであり、従来の技術の欠点を解決することができ、高度な実用価値のある実用新案の創造であり、また前記効果を備える。
【００２６】
前記記載は単に本考案の最良の実施例にすぎず、本考案を限定するものではない。本考案の請求範囲を逸脱することなく種々の変更を行うことができるということは言うまでもない。したがって、本考案は添付の請求の範囲によってのみ限定されるものである。
【図面の簡単な説明】
【００２７】
【図１】図1は本考案に係る「照度表示機能を有する電気スタンド」と被照体の間を示す概略図である。
【図２】図２は本考案に係る「照度調整機能を有する電気スタンド」と被照体の間を示す概略図である。
【図３】図３は本考案に係る電気スタンドの照度表示を示すフローチャート図である。
【図４】図４は本考案に係る電気スタンドの照度調整を示すフローチャート図である。
【符号の説明】
【００２８】
１  電気スタンド
１１  ボディー
１２  発光素子
１３  ケース
１４  スイッチ
１５  光センサー
１６  応答装置
１７  支柱
１８  照度調整回路
１９  制御装置
１１１  制御回路
１７１  台座
２  被照体
Ｒ  反射光
【図１】
0003117651.tif 000003
【図２】
0003117651.tif 000004
【図３】
0003117651.tif 000005
【図４】
0003117651.tif 000006